(57)【要約】【課題】同一の掲載対象を複数の媒体へ掲載する場合に発生する掲載依頼の煩雑さ、掲載対象への取材の重複、視聴者・聴取者・読者の統一感確保の困難さを払拭し、複数種類の媒体掲載を単純化し、取材を計画的にし、様々なメディアに掲載された表現に統一感を持たせ識別性を確保するシステムを提供すること。【解決手段】掲載支援システムは、掲載枠設定手段１０１、掲載枠データベース１０２、条件設定手段１０３、表示選択手段１０４、計画作成手段１０５、掲載／取材計画データベース１０６、計画参照手段１０７、素材登録手段１０８、取材素材データベース１０９、素材検索手段１１０から構成されている。【選択図】  図１
2007041765.tif 000002
【特許請求の範囲】
【請求項１】
１つの掲載対象を複数媒体へ掲載すること（以下、メディアミックス掲載という）を支援する方法において、
各媒体の趣向にあった表現を制作するのに必要とされる素材に関する項目（以下、素材メタデータという）を登録するステップ、
前記メディアミックス掲載に必要な素材に関する素材メタデータを漏れなくダブりなく選択するステップ、
前記掲載対象への取材において、前記選択された素材メタデータを参照するステップ、
以上のステップにより１回の取材で各メディア毎に必要な取材をすべて代行することを支援することを特徴とする媒体掲載支援方法
【請求項２】
メディアミックス掲載を支援する方法において、
１）複数媒体の掲載枠を管理するための掲載枠情報データを登録するステップ、
２）掲載依頼主が希望する掲載条件を設定するステップ、
３）前記掲載条件にマッチする掲載枠を前記掲載枠情報データを参照して検索する掲載枠検索ステップ、
４）前記掲載依頼主が前記検索の結果から掲載枠を選択するステップ、
５）前記選択の結果である掲載枠の掲載枠情報データをリスト化し、掲載計画として登録する掲載計画登録ステップ、
以上のステップにより媒体毎に条件にあった掲載枠を探し選択する作業をワンストップ化したことを特徴とする媒体掲載支援方法
【請求項３】
メディアミックス掲載を支援するシステムにおいて、
１）複数媒体の掲載枠を管理するための掲載枠情報データを格納する媒体枠データベース、
２）掲載依頼主が希望する掲載条件を設定する条件設定手段、
３）前記掲載条件にマッチする掲載枠を前記掲載枠情報データを参照して検索する掲載枠検索手段、
４）前記検索の結果である掲載枠を選択可能に表示する表示手段、
５）前記選択の結果である掲載枠の掲載枠情報データをリスト化し、掲載計画として登録する登録手段、
以上を構成要素として少なくとも含むこと特徴とする媒体掲載支援システム
【請求項４】
請求項３記載のシステムにおいて、
１）前記複数媒体への掲載計画を格納する掲載計画データベース、
２）前記掲載計画データを参照して、掲載する表現を制作するために必要な素材の素材メタデータのリスト（以下、取材計画と呼ぶ）を作成する取材計画作成手段、
３）前記取材計画を表示する取材計画表示手段、
以上を構成要素として少なくとも含むことを特徴とする媒体掲載支援システム
【請求項５】
メディアミックス掲載を支援するシステムにおいて、
１）複数媒体への掲載計画を格納する掲載計画データベース、
２）前記掲載計画データを参照して、取材計画を作成する取材計画作成手段、
３）前記取材計画を表示する取材計画表示手段、
以上を構成要素として少なくとも含み、取材作業でにおいて各メディア毎に必要な取材を漏れなくダブりなく取得する支援を行うことを特徴とする媒体掲載支援システム
【請求項６】
請求項３乃至５記載のシステムにおいて、
１）前記表現を制作するために必要な素材を前記掲載計画と関連づけて格納する素材データベース、
２）前記掲載計画を参照して、前記表現を制作するための前記素材を検索する素材検索手段、
以上を構成要素として少なくとも含み、制作者の表現編集作業を支援すること特徴とする媒体掲載支援システム
【請求項７】
前記表現乃至媒体枠には、該表現の制作者を識別する識別情報が付加されていることを特徴とする特許請求範囲第１項乃至第６項記載の媒体掲載支援システム
【請求項８】
前記複数媒体は、テレビ、ラジオ、紙媒体、ポスター、ホームページから選ばれる少なくとも１つを含むことを特徴とする特許請求範囲第１項乃至第６項記載の媒体掲載支援システム
【請求項９】
前記掲載枠情報データは、媒体種類、掲載期間、放送時間、掲載サイズ、掲載枠の趣向、価格から選ばれる少なくとも１つであることを特徴とする特許請求範囲第２項乃至第８項記載の掲載支援システム
【請求項１０】
前記掲載条件は、媒体種類、掲載期間、放送時間、掲載サイズ、掲載枠の趣向、予算から選ばれる少なくとも１つであることを特徴とする特許請求範囲第２項乃至第９項記載の掲載支援システム
【請求項１１】
前記素材は、テキスト、音声、映像、静止画から選ばれる少なくとも１つであることを特徴とする特許請求範囲第１項乃至第１０項記載の掲載支援システム
【請求項１２】
前記取材計画は、取材して揃えなければならない素材の種類情報（テキスト、音声、映像、静止画のいずれであるかを示す情報）、前記素材の分量情報（文字数、収録分の尺、サイズ）、納期から選ばれる少なくとも１つを含む素材メタデータのリストであることを特徴とする特許請求範囲第４項乃至第１１項記載の掲載支援システム
【請求項１３】
前記識別情報は、動画ロゴ、静止画ロゴ、音声ロゴ、テキスト、ＵＲＬ（Uniform Resource Locator）から選ばれる少なくとも１つであり、前記複数媒体の視聴者、聴取者、あるいは読者が前記制作者を容易に識別できることを特徴とする特許請求範囲第７項乃至第１２項記載の掲載支援システム
【発明の詳細な説明】
【技術分野】
【０００１】
本発明は、媒体への掲載依頼から媒体に掲載する表現の制作、さらには視聴者などの表現認知に至る媒体への掲載に関わる行為を支援する方法、システムに関するものであり、特に複数種類の媒体へ同一掲載対象の情報を伝える場合の媒体掲載を支援する方法、システムに関するものである。
【背景技術】
【０００２】
最近広告業界では、メディアミックスと呼ばれる複数の媒体（メディア）への出稿を連動させて、より大きな認知効果を狙う手法が重視されている。メディアミックスを行う場合、ＴＶ、ラジオ、新聞などの紙媒体、インターネットそれぞれに媒体主にコンタクトして掲載枠を確保する必要があり、出稿に関わる作業の煩雑さのため、大きな予算を掛けて行う広告キャンペーンを大手広告代理店が依頼を受けて行うケースに限られていた。
【０００３】
比較的予算規模の小さな地域メディアへの出稿の場合、広告主など掲載希望者がメディアミックスを望んでも、出稿に関わる作業の繁雑さのため比較的掲載料の低いケーブルテレビやコミュニティＦＭなどのメディアが揃っているにもかかわらず対応できる広告代理店などの業者がいなかった。そのため広告主がそれぞれの地域メディアの出稿窓口に出向いて、出稿を依頼し、それぞれのメディアが取材等のスケジュールを組んで表現を制作し、掲載するというバラバラな対応となり、効果的なメディアミックスをするには、それぞれのメディアの空き枠についての情報やその掲載枠のターゲットの嗜好などについて情報収集しておく必要があり、さらにはそれぞれのメディアがバラバラに取材し、表現を制作するため、労力と費用が嵩む傾向があった。
【０００４】
比較的規模の小さな事業者などがメディアミックスにより効果的な広告やＰＲができるシステムが望まれていた。そのようなシステムの事例として、特許文献１に開示されている「広告管理方法、それに用いられる広告媒体、及び広告管理装置」が挙げられる。ここでは広告媒体の種類に応じた補充情報をインターネット上のサーバーに格納し、テレビ、新聞、交通機関の車内広告等、異種の広告媒体が発揮する異なる広告効果を補う方法もしくはシステムが提示されているが、メディアミックスのための媒体への出稿や掲載表現の制作、表現の素材取得にかかわる取材に関する視点に欠けている。
【０００５】
特許文献２では、公衆利用場所を掲示対象とした広告について、広告ターゲットに基づいた掲示場所の情報提供と、広告出稿 契約から広告素材の撤去迄の各作業工程で発生した情報を、広告主、広告掲示場所、広告素材、広告スケジュール等の多次元レベルで管理する支援システムを提供することを目的としたものであり、複数の媒体への出稿を管理する事業を支援する視点に欠けていた。
【０００６】
特許文献３で開示されている「新聞広告出稿 プラン選択システム及び方法」においては、
新聞媒体の広告効果を予測し、かつその広告料金を算出し、広告主の満足できるコストパフォーマンスが良好な広告計画（いわゆる新聞広告出稿 プラン、即ち、新聞広告を出稿 するべき新聞の種類を選択する選択パターン）を立案するためのシステムを目的としたものであり、特に複数の都道府県ごとの目標リーチを総合的に解決することができる新聞広告出稿 プラン選択システムを提案しているが、紙媒体以外の媒体を含めた出稿計画という視点に欠けている。
【０００７】
特許文献４で開示されている「取材出稿 の支援システムおよび支援方法、ならびにプログラム」では、複数の取材記者によって作成された取材情報を容易に分類できるようにし、出稿 作業効率の向上を図ることを目的としたシステムが提案されている。具体的には、デスク側は、各取材情報を掲載内容に応じて分類した取材情報書込用のテンプレートを作成して取材記者側に提供し、各取材記者は、このテンプレートにしたがって取材情報を書き込むことによって、デスク側は、各取材記者によって作成された取材情報を容易に分類できるようにし、もって、出稿 作業効率の向上を図ることが可能な取材出稿 の支援システムが提案されているが、ここでも紙だけでなく、ＴＶ、ラジオなども含めた複数の媒体への出稿を支援するという視点に欠けている。
【０００８】
特許文献５で開示されている「広告を出稿 する方法」ではテレビ、ラジオ、新聞、雑誌、その他の広告媒体に広告を出稿 する方法に関するものであり、複数メディアへの出稿を効率化する発想が含まれているが、広告枠のありなし、広告料等、出稿 者側が知りたい情報が、従来広告媒体主とのコンタクトがある広告代理店では入手できるが、一般の企業や個人が入手することは現実的には困難だった情報にアクセスできるサーバーを用意するに留まり、本発明のように複数媒体の出稿枠を確保し、出稿する表現の制作までを効率化する手段までは提供されていない。
【０００９】
【特許文献１】特開２００２−２３０４０５号
【特許文献２】特開２００４−１７１２２３号
【特許文献３】特開２００３−２７１７２６号
【特許文献４】特開２００３−２７１７２６号
【特許文献５】特開２００２−２４５３３５号
【発明の開示】
【発明が解決しようとする課題】
【００１０】
本発明の課題は、同一の掲載対象を複数の媒体へ掲載する場合に発生する掲載依頼の煩雑さ、掲載対象への取材の重複、視聴者・聴取者・読者の統一感確保の困難さを払拭し、複数種類の媒体掲載を単純化し、取材を計画的にし、様々なメディアに掲載された表現に統一感を持たせ識別性を確保するシステムを提供することである。
【課題を解決するための手段】
【００１１】
前述の課題を解決するために本発明者らは鋭意研究の結果、以下の媒体掲載支援方法を採用した。すなわち、１）媒体の趣向にあった表現を制作するのに必要とされる素材に関する項目を素材メタデータとして登録するステップ、２）前記メディアミックス掲載に必要な素材に関する素材メタデータを漏れなくダブりなく選択するステップ、３）前記掲載対象への取材において前記選択された素材メタデータを参照するステップ、以上のステップを含む方法により１回の取材で各メディア毎に必要な取材をすべて代行することを支援する。このような方法により各メディアの取材班がそれぞれバラバラに取材する事により発生する取材コストの低減、さらにはそれぞれの取材班が同じような動画を取材するダブりの防止などが達成され効率的である。
【００１２】
媒体枠の選択局面においては、１）複数媒体の掲載枠を管理するための掲載枠情報データを登録するステップ、２）掲載依頼主が希望する掲載条件を設定するステップ、３）前記掲載条件にマッチする掲載枠を前記掲載枠情報データを参照して検索する掲載枠検索ステップ、４）前記掲載依頼主が前記検索の結果から掲載枠を選択するステップ、５）前記選択の結果である掲載枠の掲載枠情報データをリスト化し、掲載計画として登録する掲載計画登録ステップ、からなる方法により媒体毎に条件にあった掲載枠を探し選択する作業をワンストップ化することで効率化される。
【００１３】
また、以下の媒体掲載支援システムを採用することで同様の効率化を図った。
すなわち媒体への掲載を支援するシステムにおいて、
１）前記媒体の掲載枠を管理するための掲載枠情報データを格納する媒体枠データベース、
２）掲載依頼主が希望する掲載条件を設定する条件設定手段、
３）前記掲載条件にマッチする掲載枠を前記掲載枠情報データを参照して検索する掲載枠検索手段、
４）前記検索の結果である掲載枠を選択可能に表示する表示手段、
５）前記選択の結果である掲載枠の掲載枠情報データをリスト化し、掲載計画として登録する登録手段、
以上を構成要素として少なくとも含むこと特徴とするシステムを採用することにより、掲載を希望する者（広告主など）が本システムにアクセスして、掲載条件にマッチした広告枠の情報を表示し、その中から選択することにより、ワンストップで掲載計画（広告業界では出稿計画等とも呼ばれる）を立てることことが出来て、効率的である。
【００１４】
また、広告主などから依頼されて表現を制作する者が、掲載の対象を取材するに当たっての作業を支援するため、
１）複数媒体への掲載計画を格納する掲載計画データベース、
２）前記掲載計画データを参照して、前記表現を制作するために必要な素材の取材計画を作成する取材計画作成手段、
３）前記取材計画を表示する取材計画表示手段、
以上を構成要素として少なくとも含みことを特徴とする媒体掲載支援システムを採用すれば、掲載する媒体によって様々である取材をワンストップ化することができてよい。ここで上記掲載計画をワンストップ化する手段と取材のワンストップ化手段を組み合わせることによってさらなる効率化を望めてよい。
【００１５】
上記取材の結果揃った素材を編集して、掲載計画にリストアップされた媒体枠に載せる表現を制作する工程を支援するため、
１）前記表現を制作するために必要な素材を前記掲載計画と関連づけて格納する素材データベース、
２）前記掲載計画を参照して、前記表現を制作するための前記素材を検索する素材検索手段、
以上を構成要素として少なくとも含み媒体掲載支援システムを採用すれば、素材データベースに一元的に管理された素材にアクセスすることにより誤った素材を使ったり、変更があったときに関係者が一元的に管理された素材を参照することで素材のバージョン違いの確認などの製作工程でしばしば発生する煩雑さを回避することができる効果がある。ここで上述の掲載計画のワンストップ化や取材ワンストップ化の手段と組み合わせれば一層効果が上がる。
【００１６】
さらには様々な種類の媒体に同一掲載対象を掲載することにより発生する視聴者、読者、聴取者などの認知の混乱を防ぐために、表現乃至媒体枠には、該表現の制作者を識別する識別情報が付加されることを特徴とするシステムを上述の各種ワンストップ化手段と組み合わせて用いることにより、ワンストップ化により統一的に制作された掲載枠あるいは表現であることを示す方式を採るシステムを採用した。
【００１７】
ここで掲載の枠となる複数媒体は、テレビ、ラジオ、紙媒体、ポスター、ホームページから選ばれる少なくとも１つを含むものであり、掲載枠情報データは、媒体種類、掲載期間、放送時間、掲載サイズ、掲載内容の嗜好に関する制約、価格から選ばれる少なくとも１つであると、広告主などの掲載依頼と掲載依頼を受けての制作と掲載を上述の各種システムにおいて効率的に進めることができる。
【００１８】
またここで本発明のシステムにおける素材は、文字情報であるテキスト、音声、映像、静止画というテレビ、ラジオ、紙媒体、ポスター、ホームページという掲載枠に掲載する表現を編集するのに必要な基本的要素であり、本システムで採用する複数媒体に応じて上記基本的要素の１つは含んでいるとよい。
【００１９】
上述の取材計画は、取材して揃えなければならない素材の種類情報（テキスト、音声、映像、静止画のいずれであるかを示す情報）、前記素材の分量情報（文字数、収録分の尺、サイズ）、納期から選ばれる少なくとも１つを含んでいると、取材を効率的に進めることができる。
【００２０】
上述の識別情報は、動画ロゴ、静止画ロゴ、音声ロゴ、テキスト、ＵＲＬ（Uniform Resource Locator）から選ばれる少なくとも１つとすれば、その識別情報の表示を認識した表現の視聴者、聴取者、あるいは読者が、異なる種類の媒体に掲載された同一掲載対象の表現を同じ掲載意図で発信されたものであると認識し、認識上の混乱を避け、統一感のある広告、番組などを実現することができる。
【発明の効果】
【００２１】
以上述べたように本発明によれば、複数媒体に対して掲載対象が同一である表現の掲載依頼をワンストップで行え、媒体毎にバラバラに行っていた取材のワンストップ化、取材した素材のデータベース化による表現制作の一元管理、さらには表現制作主体を示す識別情報の媒体枠や表現への付加による統一感のある認識性の確保により、複数媒体への掲載によって生じうる依頼から制作さらには掲載された表現の識別における混乱や煩雑さを省く効果がある。
【発明を実施するための最良の形態】
【００２２】
以下、実施例に基づいて説明する。
【実施例】
【００２３】
図１は本発明のシステムの一例を示した概略構成図である。媒体掲載支援システム１００は、掲載依頼する広告主、広告対象を取材する取材者、取材した素材を編集する制作者からインターネット、社内回線等を介してブラウザ端末によりアクセス可能に設けられている。この掲載支援システムは、掲載枠設定手段１０１、掲載枠データベース１０２、条件設定手段１０３、表示選択手段１０４、計画作成手段１０５、掲載／取材計画データベース１０６、計画参照手段１０７、素材登録手段１０８、取材素材データベース１０９、素材検索手段１１０から構成されている。ここでそれぞれの手段の動作は、記憶装置に格納されたソフトプログラムを中央演算装置が読み出して実行する事により実現される。
【００２４】
掲載枠設定手段１０１は、媒体掲載支援システムの管理主（広告主などから依頼を受けて表現を制作し、掲載業務を行う者）が、媒体主（ＴＶ局、ラジオ局、新聞社、出版社など媒体を運営する者）と契約した掲載枠を掲載枠データベース１０２に登録する。図２と図３は、本システムの登録操作画面の一例であり、本システムのターミナル画面もしくは管理者のブラウザ端末から登録操作を行う。図２はテレビの枠を登録する場合を示している。２０１は媒体種類の選択ボックスであり、ここではケーブルＴＶが選択されている。２０２は掲載期間の入力フィールドであり、ここでは放映期間が入力されている。２０３は放送時間の入力フィールドであり、放送開始時間と放送終了時間が入力されている。２０４は掲載サイズの選択ボックスであり、ここでは３０秒というＣＭ時間が選択されている。２０５は掲載枠の趣向に関する制約の選択ボックスであり、ここでは若者向けが選択されている。２０６は価格の入力フィールドであり、３０秒のＣＭ枠の単価が記載されている。２０７は登録ボタンであり、必要事項が入力、選択された後にクリックすると内容を掲載枠データベース１０２に登録する動作が開始される。
【００２５】
図３は登録操作画面において、紙媒体の枠を登録する場合を示している。３０１の媒体種類の選択ボックスでは、フリーペーパーが選択されている。３０２の掲載期間の入力フィールドでは、配布期間が入力されている。３０３の放送時間の入力フィールドは、紙媒体では不要なので指定無しとなっている。３０４の掲載サイズの選択ボックスでは、フリーペーパー紙面での大きさが選択されている。「５×７」は、横５センチメートル縦７センチメートルを意味する。３０５は掲載枠の趣向に関する制約の選択ボックスでは、高齢者向けが選択されている。３０６は価格の入力フィールドであり、上記サイズの掲載枠の単価が記載されている。そして媒体種類がケーブルＴＶと同様に３０７の登録ボタンをクリックして内容を掲載枠データベース１０２に登録する。本実施例では媒体掲載支援システムの管理主がターミナルもしくはブラウザ端末から登録することとしているが、本発明のシステムの操作はこれに限られる者ではなく、媒体主の端末から本システムにアクセスして図２、図３で示したような画面から登録操作を行ってもよい。図４は上記登録操作の結果、掲載枠データベース１０２に格納されたデータの一例であり、ここではケーブルテレビの掲載枠を示している。
【００２６】
条件設定手段１０３は、広告主（掲載依頼者）が掲載を依頼する条件を設定し、自らの希望する条件にマッチする掲載枠を検索する動作を行う。ここでは広告主がブラウザ端末から本実施例のシステムにアクセスし入力された条件をキーとして掲載枠データベース１０２を検索し、検索結果が広告主のブラウザ端末に選択可能に表示される。図５は広告主の希望する条件を入力する依頼条件設定画面であり、図６は選択可能に表示された検索結果のリスト画面である。
【００２７】
図５の依頼条件設定画面について詳しく説明する。５０１の媒体種類の入力フィールドで、ＴＶ（テレビ）とＨＰ（ホームページ）が入力されている。５０２は掲載期間の入力フィールドで、広告を行おうとする期間を入力する。５０３の放送時間の入力フィールドで、ＴＶ、ラジオなどの放送時間が決まっている媒体を設定している場合、さらに希望放送時間を設定できる。５０４の掲載サイズの選択ボックスでは、媒体種類に紙媒体を設定した場合さらに紙面の大きさを設定できる。５０５は掲載枠の趣向の選択フィールドであり、その掲載枠がどういったターゲット（視聴者、聴取者、読者）に対する趣向なのかに関する要望があれば選択する。５０６は価格に関する入力フィールドであり、掲載枠の単価の上限を入力する。そして絞り込みのキーをすべて入力したら、５０７の検索ボタンをクリックして掲載枠データベース１０２を検索する。
【００２８】
表示選択手段１０４は、上記入力を検索キーとして掲載枠データベース１０２から条件を満足する掲載枠データを抽出する。図６は、上記検索の結果が広告主のブラウザ端末に選択可能に表示された様子である。検索結果のブラウザ画面６００に、検索リスト６０１が表示されている。下線表示された媒体枠はキーボード操作やポインティングデバイスで選択可能であり、選択状態で選択ボタン６０２をクリックすると掲載計画リスト６０３にリストアップされる。掲載計画に盛り込む媒体枠を全て選択し終えて、決定ボタン６０４をクリックすると、選択された掲載枠のリストが掲載計画となり、計画作成手段１０５が掲載計画を元に取材計画を作成する動作を行い、掲載計画と作成された取材計画は掲載／取材計画データベース１０６に格納される。
【００２９】
計画参照手段１０７は、掲載する表現の取材者、制作者などが広告主名、作業予定の媒体枠データをキーに掲載／取材計画データベース１０６に格納されたデータを検索し、閲覧することができる。図７は検索された掲載取材計画の一例である。
【００３０】
素材登録手段１０８は、上述の取材者が掲載対象を取材して取得した素材を素材データベース１０９に格納する。図８は取材者のブラウザ端末における登録画面を示したものである。ここで取材者は取材した素材のファイルを指定して登録ボタンをクリックするとブラウザ端末に格納されていた素材が取材素材データベース１０９にアップロードされる。
【００３１】
素材検索手段１１０は、依頼ＩＤや掲載枠ＩＤをキーに必要な素材を取材素材データベース１０９から検索する動作を行う。図９は表現の制作者が必要な素材を探すために素材検索手段によって生成表示された検索画面である。このブラウザ面では、掲載依頼主９０１、依頼ＩＤ９０２、媒体種類９０３、掲載期間９０４を入力するように促し素材取得の支援を行う。そして制作者のブラウザ端末に必要な素材をダウンロードする。図１０は素材検索結果画面であり、それぞれの素材ファイルに対応したダウンロードボタンをクリックすることで必要な素材を入手することができる。
【００３２】
図１１は広告主、取材者、制作者が掲載支援システムにアクセスして行う掲載依頼から表現制作、そして掲載までの本システムによる支援動作全体のフローをシーケンス図で示したものである。
【００３３】
Ｓ１掲載依頼ステップにおいて、広告主は自身のブラウザ端末から掲載支援システムにアクセスすると、条件設定手段１０３は依頼条件設定画面を生成し、掲載依頼に必要な所定の項目への入力を促して、広告主の作業を支援する。
【００３４】
Ｓ２掲載枠検索ステップにおいて、本システムは入力された条件にマッチする広告枠をデータベースから検索し、Ｓ３表示・選択入力ステップで検索された掲載枠を選択可能に表示して、広告主の選択を促し、選択された掲載枠データをリスト化して本支援システムへ送信する。
【００３５】
Ｓ４計画作成ステップでは、広告主のブラウザ端末から受信した広告主の選択結果である掲載計画を演算し、取材計画を作成し、Ｓ５計画登録ステップにおいてデータベースへ格納する。
【００３６】
Ｓ６計画依頼ステップでは、取材者からのアクセスを受けて、掲載する表現の取材者、制作者などからの媒体枠データの入力を受けて、Ｓ７計画検索ステップにおいてデータベースに格納された計画データを検索し、Ｓ８計画表示ステップにおいて取材者が自身のブラウザ端末から閲覧できるように検索結果の画面を生成し表示することで、Ｓ９取材ステップでの取材作業の円滑化できるように支援する。
【００３７】
Ｓ１０素材登録依頼ステップで、取材作業を終えた取材者が自身のブラウザ端末から本支援システムにアクセスし、素材登録手段１０８が生成した登録画面で
取材素材ファイルを指定し、Ｓ１１素材登録ステップで指定の取材素材ファイルをデータベースに登録する。
【００３８】
Ｓ１２素材呼び出し依頼ステップでは、素材検索手段１１０が制作者が表現に必要な取材素材を依頼主や依頼ＩＤなどをキーに検索する画面を生成し、キーワードの入力を支援し、Ｓ１３素材検索ステップで素材検索を動作が行われ、Ｓ１４素材提供ステップでダウンロードボタンを供えた検索結果画面を表示し、制作者がワンクリックでダウンロードできるように支援する。
【００３９】
Ｓ１５表現作成ステップで制作者は、ダウンロードして取得した素材を編集して表現を生成する。図１２は出来上がった表現がケーブルＴＶで放映されている様子を示した画面である。テレビ画面に映し出されたシーン１２００の上隅に本支援システムの管理者（制作者）のロゴ１２０１が表示されている。ここでは画像によるロゴによって、この表現の管理者を示したが、本発明の識別表示はこれに限られる者ではなく、ラジオであれば「ショウナンメディア」という音声ロゴを掲載枠の始まりや終わりに挿入するなど、様々な媒体枠それぞれの特性に合わせた識別表示が可能である。
【産業上の利用可能性】
【００４０】
本発明のシステムは、複数媒体に対して掲載対象が同一である表現の掲載依頼をワンストップで行え、媒体毎にバラバラに行っていた取材のワンストップ化、取材した素材のデータベース化による表現制作の一元管理、さらには表現制作主体を示す識別情報の媒体枠や表現への付加による統一感のある認識性の確保により、複数媒体への掲載によって生じうる依頼から制作さらには掲載された表現の識別における混乱や煩雑さを省く効果があるため、今後現れてくるニューメディアを取り込み、より多くの媒体を使ったメディアミックス掲載に利用できる。
【図面の簡単な説明】
【００４１】
【図１】本発明のシステムの一例を示した概略構成図
【図２】登録操作画面の一例
【図３】登録操作画面の一例
【図４】掲載枠データベース１０２に格納されたデータ
【図５】依頼条件設定画面
【図６】検索結果のリスト画面
【図７】検索された掲載計画の一例
【図８】ブラウザ端末における登録画面
【図９】素材検索画面
【図１０】素材検索結果画面
【図１１】支援動作全体のシーケンス図
【図１２】ケーブルＴＶで放映されている様子を示した画面
【図１】
2007041765.tif 000003
【図２】
2007041765.tif 000004
【図３】
2007041765.tif 000005
【図４】
2007041765.tif 000006
【図５】
2007041765.tif 000007
【図６】
2007041765.tif 000008
【図７】
2007041765.tif 000009
【図８】
2007041765.tif 000010
【図９】
2007041765.tif 000011
【図１０】
2007041765.tif 000012
【図１１】
2007041765.tif 000013
【図１２】
2007041765.tif 000014